(57)【要約】【課題】  エアカーテンを形成する手段の省電力制御を行う。【解決手段】  機器が冷却空気を吸入する吸気口の近傍に設置される温度センサが出力する温度値に基づいて、冷却空気とその機器の排気とを隔離するためのエアカーテンを形成するファン機構の運転を制御するファン制御手段を含む  情報処理装置。【選択図】      図１
2015169417.tif 000002
【特許請求の範囲】
【請求項１】
機器が冷却空気を吸入する吸気口の近傍に設置される温度センサが出力する温度値に基づいて、前記冷却空気と前記機器の排気とを隔離するためのエアカーテンを形成するファン機構の運転を制御するファン制御手段を含む
情報処理装置。
【請求項２】
前記機器の運転状態を監視し、監視した運転状態に基づいて運転状態指標を出力する機器運転状態監視手段を更に含み、
前記ファン制御部は、前記運転指標に更に基づいて、前記ファン機構の運転を制御する
ことを特徴とする請求項１記載の情報処理装置。
【請求項３】
前記ファン制御手段は、前記ファン機構に対する運転指示を取得した場合、取得した前記運転指示に基づいて前記ファン機構の運転を制御する
ことを特徴とする請求項１または２記載の情報処理装置。
【請求項４】
前記温度センサの出力に基づいて、温度と前記ファン機構の運転の状態との履歴情報を保持し、出力する履歴管理手段を更に含む
ことを特徴とする請求項または１乃至３のいずれか１項に記載の情報処理装置。
【請求項５】
前記ファン機構は、
同一方向への吹き出し口と、吸い込み口とを備える
ことを特徴とする請求項１乃至４のいずれか１項に記載の情報処理装置。
【請求項６】
前記１乃至５のいずれか１項に記載の情報処理装置と、
前記温度センサと、を含む
空調制御機構。
【請求項７】
前記１乃至５のいずれか１項に記載の情報処理装置を搭載する前記ファン機構、を含む
空調制御機構。
【請求項８】
前記温度センサを更に含む
請求項７記載の空調制御機構。
【請求項９】
コンピュータが、
機器が冷却空気を吸入する吸気口の近傍に設置される温度センサが出力する温度値を取得し、
取得した前記温度値に基づいて、前記冷却空気と前記機器の排気とを隔離するためのエアカーテンを形成するファン機構の運転を制御する
空調制御方法。
【請求項１０】
機器が冷却空気を吸入する吸気口の近傍に設置される温度センサが出力する温度値を取得し、
取得した前記温度値に基づいて、前記冷却空気と前記機器の排気とを隔離するためのエアカーテンを形成するファン機構の運転を制御する処理をコンピュータに実行させる
プログラム。
【発明の詳細な説明】
【技術分野】
【０００１】
本発明は、空調制御の技術に関し、特に空調制御手段の省エネルギー技術に関する。
【背景技術】
【０００２】
空調の効率を上げるためのさまざまな関連技術が知られている。
【０００３】
例えば、電算室やマシン室において、サーバ等の機器がラックに格納され、その各ラックが同じ向きに横一列に配置される。この時、隣接するラック列で、吸気側と吸気側とを、及び排気側と排気側とを向かい合わせに配置することで、コールドアイル及びホットアイルが形成される。ここで、コールドアイルは、例えば床下からその機器の前面への、空調機で冷却された、機器に取り込まれる吸気が流れるエリアを示す。また、ホットアイルは、例えば、その機器の背面から天井への、機器内で熱せられた排気が流れるエリアを指す。このようなコールドアイル及びホットアイルが形成されることで、その機器の排気と吸気とが混ざらないようにすることができ、冷却効率が向上する。
【０００４】
しかしながら、上述のようなコールドアイル及びホットアイルを形成するだけでは、ラック背面からの排気が、ラック前面の吸気に回り込む場合がある。そして、この回り込みによって、吸気温度が上昇する場合がある。この吸気温度の上昇を防ぐために、空調機の温度設定及び風量設定のそれぞれを、この吸気温度の上昇がない場合に比べて、より低くしたり、より大きくしたりする必要が発生する。即ち、この回り込みのために、冷却効率が低下する。
【０００５】
この問題を解決するための、コールドアイルを板状の部材で囲み、コールドアイルをホットアイルから隔離する製品が市販されている。ところが、このような製品においては、その板状の部材は、機器の搭載されたラック間にまたがって、機械的に取り付けられるため、地震等による変形・破損を防ぐような対策が必要となる。このため、そのような製品の着脱は、一般的に、大掛かりで、容易ではないという問題点がある。
【０００６】
このような問題点を解決する技術が、例えば、特許文献１及び２に記載されている。
【０００７】
特許文献１は、エアカーテン生成ユニットをラックに取り付け、エアカーテンによってコールドアイルを隔離する技術を開示する。
【０００８】
特許文献２は、空調機から噴出される冷却空気と、空調機が吸い込む機器の排気との流れが、エアカーテンとなるように、空調機の吸入部と吹き出し部とを配置する技術、及び空調機とラックとを配置する技術を開示する。尚、特許文献２におけるエアカーテンは、コールドアイルとホットアイルとを分離するような、冷却空気及び排気の流れを含む。
【先行技術文献】
【特許文献】
【０００９】
【特許文献１】特開２００５−３０８３４５号公報
【特許文献２】特開２０１３−２１０１７０号公報
【発明の概要】
【発明が解決しようとする課題】
【００１０】
しかしながら、上述した先行技術文献に記載された技術においては、エアカーテンを形成する手段の省電力制御ができないという問題点がある。
【００１１】
その理由は、以下のとおりである。
【００１２】
特許文献１及び２は、エアカーテンの風量及び運転開始・停止の制御について、何らの技術も開示しない。換言すると、特許文献１及び２に記載されたエアカーテンを形成する手段は、吸気（空調機で冷却された、機器に取り込まれる、冷却空気）の温度に基づいて、その運転状態を変更することはしない。
【００１３】
本発明の目的は、上述した問題点を解決する情報処理装置、空調制御機構及び空調制御方法を提供することにある。
【課題を解決するための手段】
【００１４】
本発明の一様態における情報処理装置は、機器が冷却空気を吸入する吸気口の近傍に設置される温度センサが出力する温度値に基づいて、前記冷却空気と前記機器の排気とを隔離するためのエアカーテンを形成するファン機構の運転を制御するファン制御手段を含む。
【００１５】
本発明の一様態における空調制御方法は、コンピュータが、機器が冷却空気を吸入する吸気口の近傍に設置される温度センサが出力する温度値を取得し、取得した前記温度値に基づいて、前記冷却空気と前記機器の排気とを隔離するためのエアカーテンを形成するファン機構の運転を制御する。
【００１６】
本発明の一様態におけるプログラムは、機器が冷却空気を吸入する吸気口の近傍に設置される温度センサが出力する温度値を取得し、取得した前記温度値に基づいて、前記冷却空気と前記機器の排気とを隔離するためのエアカーテンを形成するファン機構の運転を制御する処理をコンピュータに実行させる。
【発明の効果】
【００１７】
本発明は、エアカーテンを形成する手段の省電力制御を実現することが可能になるという効果がある。
【図面の簡単な説明】
【００１８】
【図１】図１は、本発明の第１の実施形態に係る情報処理装置の構成を示すブロック図である。
【図２】図２は、第１の実施形態に係る情報処理装置を含む計算機システム一例を示す図である。
【図３】図３は、第１の実施形態に係る情報処理装置を実現するコンピュータのハードウェア構成を示すブロック図である。
【図４】図４は、第１の実施形態における情報処理装置の動作を示すフローチャートである。
【図５】図５は、第１の実施形態におけるファン制御情報テーブルの一例を示す図である。
【図６】図６は、本発明の第２の実施形態に係る情報処理装置の構成を示すブロック図である。
【図７】図７は、第２の実施形態におけるファン制御情報テーブルの一例を示す図である。
【図８】図８は、本発明の第３の実施形態に係る情報処理装置の構成を示すブロック図である。
【図９】図９は、第３の実施形態における情報処理装置の動作を示すフローチャートである。
【図１０】図１０は、第３の実施形態における情報処理装置の動作を示すフローチャートである。
【図１１】図１１は、本発明の第４の実施形態に係る情報処理装置の構成を示すブロック図である。
【図１２】図１２は、第４の実施形態における履歴管理部が保持する履歴情報の一例を示す図である。
【図１３】図１３は、第４の実施形態における情報処理装置の動作を示すフローチャートである。
【図１４】図１４は、本発明の第５の実施形態に係る空調制御機構の構成を示すブロック図である。
【図１５】図１５は、第５の実施形態に係る空調制御機構を含む計算機システム一例を示す図である。
【図１６】図１６は、本発明の第６の実施形態に係る空調制御機構の構成を示すブロック図である。
【図１７】図１７は、本発明の第７の実施形態に係る空調制御機構の構成を示すブロック図である。
【発明を実施するための形態】
【００１９】
本発明を実施するための形態について図面を参照して詳細に説明する。尚、各図面及び明細書記載の各実施形態において、同様の構成要素には同様の符号を付与し、適宜説明を省略する。
【００２０】
＜＜＜第１の実施形態＞＞＞
図１は、本発明の第１の実施形態に係る情報処理装置１００の構成を示すブロック図である。
【００２１】
図１に示すように、本実施形態に係る情報処理装置１００は、ファン制御部１１０を含む。尚、図１に示す構成要素は、ハードウェア単位の回路でも、コンピュータ装置の機能単位に分割された構成要素でもよい。ここでは、図１に示す構成要素は、コンピュータ装置の機能単位に分割された構成要素として説明する。
【００２２】
図２は、本実施形態に係る情報処理装置１００を含む計算機システム一例を示す図である。
【００２３】
図２に示すように、その計算機システムは、ラック１０１、温度センサ１０２、ファン機構１０３、機器１０９及び情報処理装置１００を含む。
【００２４】
＝＝＝ラック１０１＝＝＝
ラック１０１は、機器１０９を搭載する。また、ラック１０１は、温度センサ１０２及びファン機構１０３を取り付けるための構造物（不図示）を含む。図２に示す例に係わらず、ラック１０１の台数は任意の台数であってよい。
【００２５】
＝＝＝温度センサ１０２＝＝＝
温度センサ１０２は、周辺環境の温度を測定し、測定した温度の温度値を情報処理装置１００に送信する。温度センサ１０２は、機器１０９が吸気１０５を吸入する吸気口１０９１の近傍に位置するように、ラック１０１に取り付けられる。ここで、吸気１０５は、空調機等で冷却された冷却空気である。
【００２６】
即ち、温度センサ１０２は、機器１０９が冷却空気を吸入する、吸気口１０９１の近傍（冷却空気）の温度の温度値を情報処理装置１００に送信する。
【００２７】
図２に示す例に係わらず、温度センサ１０２の台数は任意の台数であってよい。例えば温度センサ１０２は、複数のラック１０１のそれぞれに搭載された、複数の機器１０９のそれぞれの吸気口１０９１の近傍に設けられてよい。
【００２８】
＝＝＝ファン機構１０３＝＝＝
ファン機構１０３は、情報処理装置１００の指示に基づいて、空気を吹き出し、エアカーテン流（単に「エアカーテン」とも呼ばれる）１０４を形成する。尚、ファン機構１０３は、エアカーテン流１０４を形成するために、空気を吸い込む場合もある。
【００２９】
ファン機構１０３は、所望の位置にエアカーテン流１０４が形成されるように、ラック１０１に取り付けられる。
【００３０】
図２に示す例に係わらず、ファン機構１０３の台数は任意の台数であってよい。
【００３１】
＝＝＝機器１０９＝＝＝
機器１０９は、例えば、サーバやコンピュータ或いは通信用機器などである。機器１０９は、吸気口１０９１から吸気１０５を吸い込み、機器１０９内で温度が上昇した空気を、排気口１０９２から排気１０６として吹き出す。
【００３２】
＝＝＝情報処理装置１００＝＝＝
情報処理装置１００のファン制御部１１０は、温度センサ１０２が出力する温度値に基づいて、ファン機構１０３の運転を制御する。情報処理装置１００は、ラック１０１に搭載されてもよい。
【００３３】
次に、情報処理装置１００のハードウェア単位の構成要素について説明する。
【００３４】
図３は、本実施形態における情報処理装置１００を実現するコンピュータ７００のハードウェア構成を示す図である。
【００３５】
図３に示すように、コンピュータ７００は、ＣＰＵ（Ｃｅｎｔｒａｌ  Ｐｒｏｃｅｓｓｉｎｇ  Ｕｎｉｔ）７０１、記憶部７０２、記憶装置７０３、入力部７０４、出力部７０５及び通信部７０６を含む。更に、コンピュータ７００は、外部から供給される記録媒体（または記憶媒体）７０７を含む。例えば、記録媒体７０７は、情報を非一時的に記憶する不揮発性記録媒体（非一時的記録媒体）である。また、記録媒体７０７は、情報を信号として保持する、一時的記録媒体であってもよい。
【００３６】
ＣＰＵ７０１は、オペレーティングシステム（不図示）を動作させて、コンピュータ７００の全体の動作を制御する。例えば、ＣＰＵ７０１は、記憶装置７０３に装着された記録媒体７０７から、そのプログラムやデータ（例えば、後述のファン制御情報テーブル１１１）を読み込み、読み込んだそのプログラムやそのデータを記憶部７０２に書き込む。ここで、そのプログラムは、例えば、後述の図５に示すフローチャートの動作をコンピュータ７００に実行させるためのプログラムである。
【００３７】
そして、ＣＰＵ７０１は、その読み込んだプログラムに従って、またその読み込んだデータに基づいて、図１に示すファン制御部１１０として各種の処理を実行する。
【００３８】
尚、ＣＰＵ７０１は、通信網（不図示）に接続される外部コンピュータ（不図示）から、記憶部７０２にそのプログラムやそのデータをダウンロードしてもよい。
【００３９】
記憶部７０２は、そのプログラムやそのデータを記憶する。
【００４０】
記憶装置７０３は、例えば、光ディスク、フレキシブルディスク、磁気光ディスク、外付けハードディスク及び半導体メモリであって、記録媒体７０７を含む。記憶装置７０３（記録媒体７０７）は、そのプログラムをコンピュータ読み取り可能に記憶する。また、記憶装置７０３は、そのデータを記憶してよい。
【００４１】
入力部７０４は、オペレータによる操作の入力や外部からの情報の入力を受け付ける。入力操作に用いられるデバイスは、例えば、マウスやキーボード、内蔵のキーボタン、タッチパネルなどである。
【００４２】
出力部７０５は、例えばディスプレイで実現される。出力部７０５は、例えばＧＵＩ（ＧＲＡＰＨＩＣＡＬ  Ｕｓｅｒ  Ｉｎｔｅｒｆａｃｅ）による入力要求や出力などの確認をするために用いられる。
【００４３】
通信部７０６は、図示しない外部装置とのインタフェースを実現する。
【００４４】
インタフェース部７０９は、温度センサ１０２、ファン機構１０３及び図示しない外部装置とのインタフェースを実現する。
【００４５】
以上説明したように、図１に示す情報処理装置１００の機能単位のブロックは、図３に示すハードウェア構成のコンピュータ７００によって実現される。但し、コンピュータ７００が備える各部の実現手段は、上記に限定されない。すなわち、コンピュータ７００は、物理的に結合した１つの装置により実現されてもよいし、物理的に分離した２つ以上の装置を有線または無線で接続し、これら複数の装置により実現されてもよい。
【００４６】
尚、上述のプログラムのコードを記録した記録媒体７０７が、コンピュータ７００に供給される場合、ＣＰＵ７０１は、記録媒体７０７に格納されたそのプログラムのコードを読み出して実行してもよい。或いは、ＣＰＵ７０１は、記録媒体７０７に格納されたそのプログラムのコードを、記憶部７０２、記憶装置７０３またはその両方に格納してもよい。すなわち、本実施形態は、コンピュータ７００（ＣＰＵ７０１）が実行するそのプログラム（ソフトウェア）を、一時的にまたは非一時的に、記憶する記録媒体７０７の実施形態を含む。尚、情報を非一時的に記憶する記憶媒体は、不揮発性記憶媒体とも呼ばれる。
【００４７】
以上が、本実施形態における情報処理装置１００を実現するコンピュータ７００の、ハードウェア単位の各構成要素についての説明である。
【００４８】
次に本実施形態の動作について、図面を参照して詳細に説明する。
【００４９】
図４は、本実施形態における情報処理装置１００の動作を示すフローチャートである。尚、このフローチャートによる処理は、前述したＣＰＵ７０１によるプログラム制御に基づいて、実行されても良い。また、処理のステップ名については、Ｓ６０１のように、記号で記載する。
【００５０】
情報処理装置１００のファン制御部１１０は、温度センサ１０２から温度値を受信する（ステップＳ６０１）。
【００５１】
次に、ファン制御部１１０は、受信したその温度値に基づいて管理温度を算出する（ステップＳ６０２）。
【００５２】
例えば、温度センサ１０２が１台の場合、ファン制御部１１０は受信したその温度値を管理温度とする。温度センサ１０２が複数の場合、ファン制御部１１０は、例えば、受信した温度値の内の、最高の温度値を管理温度とする。ファン制御部１１０は、受信した温度値の平均を管理温度としてよい。また、ファン制御部１１０は、受信した温度値に、温度センサ１０２ごとに付与される重みを加味した値に基づいて、管理温度を算出してよい。以上の例によらず、ファン制御部１１０は、任意の手法を用いて、受信したその温度値に基づいて管理温度を算出してよい。
【００５３】
次に、ファン制御部１１０は、図５に示すファン制御情報テーブル１１１を利用して、算出した管理温度に基づいてファン機構１０３に対する運転指示を決定する（ステップＳ６０３）。
【００５４】
図５は、ファン制御情報テーブル１１１の一例を示す図である。図５に示すように、ファン制御情報テーブル１１１は、管理温度（数値は、摂氏温度を示す）と運転指示との対応を示す。
【００５５】
ファン制御部１１０は、複数のファン機構１０３のそれぞれに任意に対応する、内容の異なる複数のファン制御情報テーブル１１１を利用してもよい。この場合、ファン制御部１１０は、ステップＳ６０２において、ファン機構１０３ごとに管理温度を算出する。その複数のファン機構１０３のそれぞれは、識別子を付与されてよい。そして、ファン制御情報テーブル１１１のそれぞれは、その識別子のそれぞれを情報として保持してよい。
【００５６】
尚、ファン制御情報テーブル１１１は、図３に示す記憶部７０２或いは記憶装置７０３に、予め記憶されていてよい。また、ファン制御部１１０は、図３に示す入力部７０４を介して操作者が入力した、ファン制御情報テーブル１１１を取得してもよい。また、ファン制御部１１０は、図３に示す通信部７０６を介して図示しない機器から、ファン制御情報テーブル１１１を受信してもよい。また、ファン制御部１１０は、図３に示す記憶装置７０３を介して、記録媒体７０７に記録されたファン制御情報テーブル１１１を取得してもよい。
【００５７】
図４に戻って、次に、ファン制御部１１０は、決定した運転指示をファン機構１０３へ出力する。（ステップＳ６０４）。
【００５８】
尚、ファン機構１０３は、入力された運転指示に基づいて、ファン機構１０３が搭載するファン（不図示）の運転を停止し、及び指定の強度でそのファンの運転を実行する。
【００５９】
上述した本実施形態における効果は、ファン機構１０３（エアカーテンを形成する手段）の省電力（省エネルギー）制御を実現することが可能になる点である。
【００６０】
その理由は、ファン制御部１１０が、温度センサ１０２から受信した温度値に基づいて、ファン機構１０３を制御するようにしたからである。
【００６１】
＜＜＜第２の実施形態＞＞＞
次に、本発明の第２の実施形態について図面を参照して詳細に説明する。以下、本実施形態の説明が不明確にならない範囲で、前述の説明と重複する内容については説明を省略する。
【００６２】
図６は、本発明の第２の実施形態に係る情報処理装置２００の構成を示すブロック図である。
【００６３】
図６に示すように、本実施形態における情報処理装置２００は、第１の実施形態の情報処理装置１００と比べて、ファン制御部１１０に替えてファン制御部２１０を含む点が異なる。また、情報処理装置２００は、情報処理装置１００に比べて、機器運転状態監視部２２０を更に含む点が異なる。
【００６４】
尚、図６に示す構成要素は、ハードウェア単位の回路でも、コンピュータ装置の機能単位に分割された構成要素でもよい。ここでは、図６に示す構成要素は、コンピュータ装置の機能単位に分割された構成要素として説明する。
【００６５】
また、情報処理装置２００のハードウェア構成は、例えば、図３に示す構成である。
【００６６】
＝＝＝機器運転状態監視部２２０＝＝＝
機器運転状態監視部２２０は、機器１０９の運転状態を監視し、監視した運転状態に基づいて運転状態指標を出力する。例えば、機器運転状態監視部２２０は、図３に示す通信部７０６を介して機器１０９から運転状態情報を取得する。運転状態情報は、例えば、機器１０９の消費電力値や、実施ジョブ数などである。そして、機器運転状態監視部２２０は、取得した運転状態情報に基づいて、運転状態指標を算出する。尚、運転状態情報などに基づいて、何らかの数値を算出する手法は、周知技術であるため、ここでは説明を省略する。
【００６７】
＝＝＝ファン制御部２１０＝＝＝
ファン制御部２１０は、算出した管理温度と機器運転状態監視部２２０から入力された運転指標とに基づいて、ファン機構１０３の運転を制御する。
【００６８】
次に、ファン制御部２１０は、図４に示すプロ―チャートのステップＳ６０３において、図７に示すファン制御情報テーブル１１２を利用して、ファン機構１０３に対する運転指示を決定する。
【００６９】
図７は、ファン制御情報テーブル１１２の一例を示す図である。図７に示すように、ファン制御情報テーブル１１２は、管理温度と運転状態指標と運転指示との対応を示す。図７に含まれる運転状態指標は、温度の上昇が見込まれるような運転状態については大きく、温度の下降が見込まれるような運転状態については小さく設定されている。
【００７０】
ファン制御部２１０は、ファン制御部１１０の場合と同様に、複数のファン機構１０３のそれぞれに任意に対応する、内容の異なる複数のファン制御情報テーブル１１２を利用してもよい。
【００７１】
上述した本実施形態における効果は、吸気１０５の温度変化を少なくするように、ファン機構１０３の省電力制御を実現することが可能になる点である。
【００７２】
その理由は、ファン制御部２１０が更に運転状態指標に基づいて、ファン機構１０３を制御するようにしたからである。換言すると、ファン制御部２１０が、機器１０９の運転状態に対応する吸気１０５の温度変化を先取りして、ファン機構１０３を制御するようにしたからである。
【００７３】
＜＜＜第３の実施形態＞＞＞
次に、本発明の第３の実施形態について図面を参照して詳細に説明する。以下、本実施形態の説明が不明確にならない範囲で、前述の説明と重複する内容については説明を省略する。
【００７４】
図８は、本発明の第３の実施形態に係る情報処理装置３００の構成を示すブロック図である。
【００７５】
図８に示すように、本実施形態における情報処理装置３００は、第１の実施形態の情報処理装置１００と比べて、ファン制御部１１０に替えて、ファン制御部３１０を含む点が異なる。
【００７６】
尚、図８に示す構成要素は、ハードウェア単位の回路でも、コンピュータ装置の機能単位に分割された構成要素でもよい。ここでは、図８に示す構成要素は、コンピュータ装置の機能単位に分割された構成要素として説明する。
【００７７】
情報処理装置３００のハードウェア構成は、例えば、図３に示す構成である。
【００７８】
＝＝＝ファン制御部３１０＝＝＝
ファン制御部３１０は、ファン機構１０３に対する運転指示を取得した場合、その運転指示に基づいてファン機構１０３の運転を制御する。
【００７９】
例えば、ファン制御部３１０は、図３に示す入力部７０４を介して操作者が入力した、その運転指示を取得する。また、ファン制御部３１０は、図３に示す通信部７０６を介して図示しない機器から、その運転指示を取得してもよい。
【００８０】
次に本実施形態の動作について、図面を参照して詳細に説明する。
【００８１】
図９及び図１０は、本実施形態の動作を示すフローチャートである。尚、このフローチャートによる処理は、前述したＣＰＵ７０１によるプログラム制御に基づいて、実行されても良い。また、処理のステップ名については、Ｓ６３１のように、記号で記載する。
【００８２】
情報処理装置３００のファン制御部３１０は、運転指示を取得したか否かを判断する（ステップＳ６３１）。運転指示を取得した場合（ステップＳ６３１でＹＥＳ）、処理はステップＳ６３２へ進む。
【００８３】
次に、ファン制御部３１０は、その設定指示を、例えば、図３に示す記憶部７０２に保持する（ステップＳ６３２）。
【００８４】
次に、ファン制御部３１０は、その設定指示に基づいて、ファン機構１０３に対する運転指示を決定する（ステップＳ６３３）。
【００８５】
次に、ファン制御部３１０は、決定した運転指示をファン機構１０３へ出力する。（ステップＳ６３４）。そして、処理は終了する。
【００８６】
運転指示を取得しなかった場合（ステップＳ６３１でＮＯ）、処理は、ステップＳ６３５へ進む。
【００８７】
次に、ファン制御部３１０は、指示解除を取得したか否かを判断する（ステップＳ６３５）。
【００８８】
指示解除を取得した場合（ステップＳ６３１でＹＥＳ）、処理は、ステップＳ６３６へ進む。
【００８９】
次に、ファン制御部３１０は、保持しているその設定指示を廃棄（消去）する（ステップＳ６３６）。そして、処理は、ステップＳ６０１へ進む。
【００９０】
指示解除を取得しなかった場合（ステップＳ６３５でＮＯ）、処理は、ステップＳ６３７へ進む。
【００９１】
次に、ファン制御部３１０は、設定指示を保持中か否かを判断する（ステップＳ６３７）。設定指示を保持中の場合（ステップＳ６３７でＹＥＳ）、処理は終了する。設定指示を保持中ではない場合（ステップＳ６３７でＮＯ）、処理は、ステップＳ６０１へ進む。
【００９２】
図１０に示すステップＳ６０１からステップＳ６０４は、図４に示すステップＳ６０１からステップＳ６０４と同じである。
【００９３】
上述した本実施形態における効果は、第１の実施形態の効果に加えて、操作者等が任意に、運転状態を変更することが可能になる点である。
【００９４】
その理由は、ファン制御部３１０が、取得した設定指示に基づいて運転指示を決定し、決定したその運転指示をファン機構１０３へ出力するようにしたからである。
【００９５】
＜＜＜第４の実施形態＞＞＞
次に、本発明の第４の実施形態について図面を参照して詳細に説明する。以下、本実施形態の説明が不明確にならない範囲で、前述の説明と重複する内容については説明を省略する。
【００９６】
図１１は、本発明の第４の実施形態に係る情報処理装置４００の構成を示すブロック図である。
【００９７】
図１１に示すように、本実施形態における情報処理装置４００は、第１の実施形態の情報処理装置１００と比べて、履歴管理部４３０を更に含む点が異なる。また、情報処理装置４００は、情報処理装置１００と比べて、ファン制御部１１０に替えて、ファン制御部４１０を含む点が異なる。
【００９８】
尚、図１１に示す構成要素は、ハードウェア単位の回路でも、コンピュータ装置の機能単位に分割された構成要素でもよい。ここでは、図１１に示す構成要素は、コンピュータ装置の機能単位に分割された構成要素として説明する。
【００９９】
情報処理装置３００のハードウェア構成は、例えば、図３に示す構成である。
【０１００】
＝＝＝ファン制御部４１０＝＝＝
ファン制御部４１０は、温度センサ１０２から受信する温度値とその時点の運転状態との対応の履歴を、履歴管理部４３０に履歴情報として記録する。
【０１０１】
図１２は、履歴情報４３１の一例を示す図である。図１２に示すように、履歴情報４３１は、時刻と温度値と運転状態との組み合わせを含む。その時刻は、例えば、ファン制御部４１０が温度センサ１０２からその温度値を取得した時刻である。ファン制御部４１０は、例えば、ファン機構１０３に対する運転指示を、その運転状態とする。ファン制御部４１０は、例えば、ファン機構１０３に対する前回の運転指示を、その運転状態としてもよい。
【０１０２】
＝＝＝履歴管理部４３０＝＝＝
履歴管理部４３０は、その履歴情報４３１を保持する。また、履歴管理部４３０は、その履歴情報４３１を出力する。ファン制御部４１０は、例えば、ファン制御部４１０は、その履歴情報４３１を図３に示す出力部７０５を介して出力する。また、ファン制御部４１０は、図３に示す通信部７０６を介して、図示しない機器にその履歴情報４３１を送信してもよい。また、ファン制御部４１０は、図３に示す記憶装置７０３を介して、記録媒体７０７にその履歴情報４３１を記録してもよい。
【０１０３】
次に本実施形態の動作について、図面を参照して詳細に説明する。
【０１０４】
図１３は、本実施形態の動作を示すフローチャートである。尚、このフローチャートによる処理は、前述したＣＰＵ７０１によるプログラム制御に基づいて、実行されても良い。また、処理のステップ名については、Ｓ６４１のように、記号で記載する。
【０１０５】
図１３に示すステップＳ６０１は、図４に示すステップＳ６０１と同じである。
【０１０６】
次に、ファン制御部４１０は、温度センサ１０２から受信した温度値と運転の状態とを履歴管理部４３０に記録する（ステップＳ６４１）。
【０１０７】
図１３に示すステップＳ６０２からステップＳ６０４は、図４に示すステップＳ６０２からステップＳ６０４と同じである。
【０１０８】
上述した本実施形態における効果は、第１の実施形態の効果に加えて、操作者等が運転状態と温度との関係を容易に把握することが可能になる点である。
【０１０９】
その理由は、ファン制御部４１０が温度値と運転状態との対応を履歴管理部４３０に記録し、履歴管理部４３０がその履歴情報４３１を保持し、出力するからである。
【０１１０】
＜＜＜第５の実施形態＞＞＞
次に、本発明の第５の実施形態について図面を参照して詳細に説明する。以下、本実施形態の説明が不明確にならない範囲で、前述の説明と重複する内容については説明を省略する。
【０１１１】
図１４は、本発明の第５の実施形態に係る空調制御機構６０５の構成を示すブロック図である。
【０１１２】
図１４に示すように、本実施形態に係る空調制御機構６０５は、ファン機構５０３を含む。
【０１１３】
ファン機構５０３は、ファン機構制御部１０３０とファン１０３３とファン１０３４と図１に示す情報処理装置１００とを搭載する。尚、ファン機構５０３は、情報処理装置１００に替えて、図６に示す情報処理装置２００、図８に示す情報処理装置３００及び図１１に示す情報処理装置４００のいずれかを含んでもよい。
【０１１４】
ファン機構制御部１０３０は、情報処理装置１００から運転指示を受信し、その運転指示に基づいて、ファン１０３３及びファン１０３４の回転を制御する。
【０１１５】
図１５は、本実施形態に係る空調制御機構６０５を含む計算機システム一例を示す図である。
【０１１６】
図１５に示すように、その計算機システムは、ラック１０１、温度センサ１０２（不図示、図２に示す温度センサ１０２と同じ）、ファン機構５０３及び機器１０９（不図示、図２に示す機器１０９と同じ）を含む。
【０１１７】
図１５において左側に図示されるファン機構５０３は、上側に吸い込み口１０３１と吸い込み型のファンであるファン１０３３を、下側に吹き出し口１０３２と吹き出し型のファンであるファン１０３４を、備える。また、図１５において右側に図示されるファン機構５０３は、上側に吹き出し口１０３２と吹き出し型のファンであるファン１０３４を、下側に吸い込み口１０３１と吸い込み型のファンであるファン１０３３を、備える。
【０１１８】
即ち、図１５に示す計算機システムにおいては、一方のファン機構５０３から吹き出された空気が他方のファン機構５０３に吸い込まれることによって、エアカーテン流１０４が掲載される。
【０１１９】
尚、ファン機構５０３のそれぞれに含まれる情報処理装置１００のそれぞれは、相互に連携して、運転指示を送信してよい。或いは、１台のファン機構５０３に含まれる情報処理装置１００が、そのファン機構５０３のファン機構制御部１０３０と、ファン機構制御部１０３０、ファン１０３３及びファン１０３４を含むファン機構とを制御してもよい。
【０１２０】
上述した本実施形態における効果は、第１の実施形態の効果に加えて、情報処理装置１００の設置の作業を軽減することが可能になる点である。
【０１２１】
その理由は、ファン機構５０３に情報処理装置１００を搭載するからである。
【０１２２】
＜＜＜第６の実施形態＞＞＞
次に、本発明の第６の実施形態について図面を参照して詳細に説明する。以下、本実施形態の説明が不明確にならない範囲で、前述の説明と重複する内容については説明を省略する。
【０１２３】
図１６は、本発明の第６の実施形態に係る空調制御機構６０６の構成を示すブロック図である。
【０１２４】
図１６に示すように、本実施形態に係る空調制御機構６０６は、情報処理装置１００及び温度センサ１０２を含む。尚、空調制御機構６０６は、情報処理装置１００に替えて、図６に示す情報処理装置２００、図８に示す情報処理装置３００及び図１１に示す情報処理装置４００のいずれかを含んでもよい。
【０１２５】
上述した本実施形態における効果は、第１の実施形態の効果に加えて、空調制御機構６０６の設置計画の立案作業を軽減することが可能になる点である。
【０１２６】
その理由は、空調制御機構６０６が情報処理装置１００と温度センサ１０２とを含むからである。
【０１２７】
＜＜＜第７の実施形態＞＞＞
次に、本発明の第７の実施形態について図面を参照して詳細に説明する。以下、本実施形態の説明が不明確にならない範囲で、前述の説明と重複する内容については説明を省略する。
【０１２８】
図１７は、本発明の第７の実施形態に係る空調制御機構６０７の構成を示すブロック図である。
【０１２９】
図１７に示すように、本実施形態に係る空調制御機構６０７は、ファン機構５０３と温度センサ１０２とを含む。
【０１３０】
ファン機構５０３は、図１４に示すファン機構５０３と同じである。
【０１３１】
上述した本実施形態における効果は、第１の実施形態の効果に加えて、空調制御機構６０７の設置計画の立案作業と、情報処理装置１００の設置の作業を軽減することが可能になる点である。
【０１３２】
その理由は、空調制御機構６０６がファン機構５０３及び温度センサ１０２を含み、ファン機構５０３が情報処理装置１００を搭載するからである。
【０１３３】
以上の各実施形態で説明した各構成要素は、必ずしも個々に独立した存在である必要はない。例えば、複数個の任意のその構成要素が１個のモジュールとして実現されてよい。また、その構成要素の内の任意のひとつが複数のモジュールで実現されてもよい。また、その構成要素の内の任意のひとつがその構成要素の内の任意の他のひとつであってよい。また、その構成要素の内の任意のひとつの一部と、その構成要素の内の任意の他のひとつの一部とが重複してもよい。
【０１３４】
以上説明した各実施形態における各構成要素及び各構成要素を実現するモジュールは、必要に応じ、可能であれば、ハードウェア的に実現されてよい。また、各構成要素及び各構成要素を実現するモジュールは、コンピュータ及びプログラムで実現されてよい。また、各構成要素及び各構成要素を実現するモジュールは、ハードウェア的なモジュールとコンピュータ及びプログラムとの混在により実現されてもよい。
【０１３５】
そのプログラムは、例えば、磁気ディスクや半導体メモリなど、コンピュータが読み取り可能な非一時的記録媒体に記録され、コンピュータに提供される。そして、そのプログラムは、コンピュータの立ち上げ時などに、非一時的記録媒体からコンピュータに読み取られる。この読み取られたプログラムは、そのコンピュータの動作を制御することにより、そのコンピュータを前述した各実施形態における構成要素として機能させる。
【０１３６】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障のない範囲で変更することができる。
【０１３７】
更に、以上説明した各実施形態では、複数の動作は個々に相違するタイミングで実行されることに限定されない。例えば、ある動作の実行中に他の動作が発生してよい。また、ある動作と他の動作との実行タイミングが部分的に乃至全部において重複してもよい。
【０１３８】
更に、以上説明した各実施形態では、ある動作が他の動作の契機になるように記載しているが、その記載はある動作と他の動作との全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障を来さない範囲内で変更されてよい。
【０１３９】
以上、各実施形態及び実施例を参照して本発明を説明したが、本発明は上記実施形態及び実施例に限定されるものではない。本発明の構成や詳細には、本発明のスコープ内で当業者が理解しえるさまざまな変更をすることができる。
【符号の説明】
【０１４０】
１００    情報処理装置
１０１    ラック
１０２    温度センサ
１０３    ファン機構
１０４    エアカーテン流
１０５    吸気
１０６    排気
１０９    機器
１１０    ファン制御部
１１１    ファン制御情報テーブル
１１２    ファン制御情報テーブル
２００    情報処理装置
２１０    ファン制御部
２２０    機器運転状態監視部
３００    情報処理装置
３１０    ファン制御部
４００    情報処理装置
４１０    ファン制御部
４３０    履歴管理部
４３１    履歴情報
５０３    ファン機構
６０５    空調制御機構
６０６    空調制御機構
６０７    空調制御機構
６０８    ファン機構
７００    コンピュータ
７０１    ＣＰＵ
７０２    記憶部
７０３    記憶装置
７０４    入力部
７０５    出力部
７０６    通信部
７０７    記録媒体
７０９    インタフェース部
１０３０    ファン機構制御部
１０３３    ファン
１０３４    ファン
１０９１    吸気口
１０９２    排気口
【図１】
2015169417.tif 000003
【図２】
2015169417.tif 000004
【図３】
2015169417.tif 000005
【図４】
2015169417.tif 000006
【図５】
2015169417.tif 000007
【図６】
2015169417.tif 000008
【図７】
2015169417.tif 000009
【図８】
2015169417.tif 000010
【図９】
2015169417.tif 000011
【図１０】
2015169417.tif 000012
【図１１】
2015169417.tif 000013
【図１２】
2015169417.tif 000014
【図１３】
2015169417.tif 000015
【図１４】
2015169417.tif 000016
【図１５】
2015169417.tif 000017
【図１６】
2015169417.tif 000018
【図１７】
2015169417.tif 000019